(57)【要約】【課題】  内装工事完了後でも簡単な作業で安全且つ壁面に平行で、体裁よく後付けができるパネルの取付装置を提供すること。【解決手段】  左右に連続する長さで垂直片及び同垂直片から斜め上方に向かって延びる傾斜片を有する壁側フックと、左右に連続する長さで垂直片及び同垂直片から斜め下方向かって延びる傾斜片を有するパネル側フックとから構成され、前記壁側フック並びにパネル側フックは壁面又はパネルにそれぞれ少なくとも上下２連に取り付けられていることを特徴とする。【選択図】        図１
2006307619.tif 000002
【特許請求の範囲】
【請求項１】
左右に連続する長さで垂直片及び同垂直片から斜め上方に向かって延びる傾斜片を有する壁側フックと、左右に連続する長さで垂直片及び同垂直片から斜め下方向かって延びる傾斜片を有するパネル側フックとから構成され、前記壁側フック並びにパネル側フックは壁面又はパネルにそれぞれ少なくとも上下２連に取り付けられていることを特徴とするパネルの取付装置。
【請求項２】
左右に連続する長さで垂直片及び同垂直片から斜め上方に向かって延びる傾斜片を有する壁側フックと、左右に連続する長さで垂直片及び同垂直片から斜め下方向かって延びる傾斜片を有するパネル側フックとから構成され、前記壁側フック又はパネル側フックの一方のフックの垂直片は壁面又はパネルに形成された掘り込み溝に嵌め込まれて取り付けられていることを特徴とするパネルの取付装置。
【請求項３】
壁パネル張設用レールの溝内に斜め上方に向かって延びる傾斜片を左右に連続するように形成した壁側フックと、左右に連続する長さで垂直片及び同垂直片から斜め下方向かって延びる傾斜片を有するパネル側フックとから構成され、壁側フックの傾斜片は壁パネル表面から突出しないように設けられていることを特徴とするパネルの取付装置。
【請求項４】
請求項２、３に記載されるパネルの取付装置において、壁側フックの傾斜片にパネル側フックの傾斜片を載せるように差し込んでパネルが壁面に当接したときに両傾斜片の端部がそれぞれ相手方の垂直片に当接しないように隙間が形成されていることを特徴とする請求項２、３記載のパネルの取付装置。
【請求項５】
請求項２、３に記載されるパネルの取付装置において、壁側フックとパネル側フックの傾斜片の傾斜角度αをそれぞれ３５〜５５度としたことを特徴とする請求項２、３記載のパネルの取付装置。
【発明の詳細な説明】
【技術分野】
【０００１】  本発明は、姿見のような大型の鏡枠や展示品を吊り下げるハンギングボード等の重量のあるパネルを簡単な作業で安全且つ壁面に平行乃至密接させて取り付けることができるパネルの取付装置に関するものである。
【発明の開示】
【発明が解決しようとする課題】
【０００２】  通常、小型の鏡枠や表示板のような軽量のパネルを壁面に取り付ける場合、壁に一般に使用されるフックを固定し、パネルに取り付けられたワイヤー等に引っ掛けたりする方法が採られている。【０００３】  然しながら、軽量のパネルの場合には一般に使用されるフックにパネルに取り付けられたワイヤーに引っ掛ける簡単な方法でも充分安全性は確保できるが、重量が数十Ｋｇもある姿見のような大型の鏡枠や展示品を吊り下げるハンギングボード等の重量のあるパネルの場合には、一般に使用されるフックでは荷重に耐え切れず脱落する危険性があって、パネルを直接アンカーボルト等で壁に固定する方法を採らざるを得ず、内装工事中に施工業者が予めパネルの取付作業をしなければならないという問題点があり、また、内装工事完了後に予定変更があった場合には先のパネルを取り外して付け替える作業を要する場合もあるという問題点があった。
【発明の目的】
【０００４】  本発明の第１の目的は、内装工事完了後でも簡単な作業で安全且つ壁面に平行で、体裁よく後付けができるパネルの取付装置を提供することである。
【０００５】  本発明の第２の目的は、内装工事完了後でも簡単な作業で安全且つ壁面に密接乃至圧接して体裁よく後付けができるパネルの取付装置を提供することである。
【０００６】  本発明の第３の目的は、壁内埋設型又は壁パネル張設用のレールを構成要素として内装工事完了後でも簡単な作業で安全且つ壁面に密接乃至圧接して体裁よく後付けができるパネルの取付装置を提供することである。
【課題を解決するための手段】
【０００７】  本発明に係る請求項１記載のパネルの取付装置は、左右に連続する長さで垂直片及び同垂直片から斜め上方に向かって延びる傾斜片を有する壁側フックと、左右に連続する長さで垂直片及び同垂直片から斜め下方向かって延びる傾斜片を有するパネル側フックとから構成され、前記壁側フック並びにパネル側フックは壁面又はパネルにそれぞれ少なくとも上下２連に取り付けられていることを特徴とするものである。
【０００８】  また、請求項２に記載するパネルの取付装置は、左右に連続する長さで垂直片及び同垂直片から斜め上方に向かって延びる傾斜片を有する壁側フックと、垂直片及び同垂直片から斜め下方向かって延びる傾斜片を有し、左右に連続する長さを有するパネル側フックとから構成され、前記壁側フック又はパネル側フックの一方のフックの垂直片は壁面又はパネルに形成された掘り込み溝に嵌め込まれて取り付けられていることを特徴とするものである。
【０００９】  更に、請求項３に記載するパネルの取付装置は、壁パネル張設用レールの溝内に斜め上方に向かって延びる傾斜片を左右に連続するように形成した壁側フックと、左右に連続する長さで垂直片及び同垂直片から斜め下方向かって延びる傾斜片を有するパネル側フックとから構成され、壁側フックの傾斜片は壁パネル表面から突出しないように設けられていることを特徴とするものである。
【発明の作用】
【００１０】  請求項１の本発明では、上下２連又はそれ以上取り付けられているパネル側フックの傾斜片を上下２連又はそれ以上取り付けられている壁側フックの傾斜片に載せるように差し入れて手を離すだけで傾斜片同士の作用でパネルは壁面に平行して取り付けられる。
【００１１】  請求項２の発明では、壁側フックの傾斜片にパネル側フックの傾斜片を載せるように差し込んでやればパネルが壁面に面接乃至圧接して取り付けられる。
【００１２】  請求項３の発明では、壁パネル張設用のレール内に斜め上方に向かって延びる傾斜片を形成したものを壁側フックとしてあるので、パネル側フックの傾斜片と係合する壁側フックの傾斜片が壁面から突出しない。
【実施例１】
【００１３】  図１は、請求項１記載の本発明装置によってパネルを取り付けた状態の縦断側面図である。【００１４】  図において、１は、垂直片１−１及び同垂直片の下端から斜め上方に向かって延びる傾斜片１−２を有し、左右に連続する長さを有する壁側フックである。【００１５】  ２は、垂直片２−１及び同垂直片の上端から斜め下方に向かって延びる傾斜片２−２を有し、左右に連続する長さを有するパネル側フックである。【００１６】  実施例１では同じ形状のフックを上下反転させて壁側フックとパネル側フックに名称を変えて説明してあるが、壁側フックとパネル側フックの形状をそれぞれ変えてもよいことは勿論である。【００１７】  ３は、前記壁側フック１の垂直片１−１の背面がネジａにて取り付けられる壁、４は、前記パネル側フック２がネジｂにて面接して取り付けられるハンギングボード等の重量のあるパネルであって、パネルに形成された溝内にハンガーレールＲを嵌め込んで固定し、このレール内に棚受金具Ａや吊下フック等を引っ掛けて使用するものである。【００１８】  先ず、内装工事中に壁側フック１、１を壁面３の所定個所に上下２連平行させてネジａ・・・ａにて取り付けておく。【００１９】  次に、パネル４にパネル側フック２、２を上下２連平行させてネジｂ・・・ｂにて取り付け、このパネル側フック２が取り付けられたパネル４を壁側フック１方向に持っていって対応する壁側フック１の傾斜片１−２に対応するパネル側フック２の傾斜片２−１が乗るようにして差し入れ、手を下ろしてやると、それぞれのパネル側フック２の傾斜片２−１が壁側フック１の傾斜片１−２上を滑って壁面側に寄りながら下降し、傾斜片２−１の端部が壁側フック１の垂直片１−１に当接して下降が停止して、パネル４は壁面３に対して間隔を空けて平行に取り付けられる。
【実施例２】
【００２０】  図２は、請求項２記載の本発明装置の分解斜視図、図３は、同装置を構成する壁側フックとパネル側フックの側面図、図４は、取り付け前の壁側フックにパネル側フックを嵌合させた状態の側面図、図５は、パネルを壁面に取り付けた状態の要部縦断側面図である。【００２１】  図において、１は、同じく垂直片１−１及び同垂直片の下端から斜め上方に向かって延びる傾斜片１−２を有する壁側フックである。【００２２】  ２は、垂直片２−１及び同垂直片途中から斜め下方に向かって延びる傾斜片２−２を有し、同垂直片の上下端から水平に延びる水平片２−３、２−３を有するパネル側フックである。【００２３】  この場合のパネル４もハンギングボードであって、ボードに形成された溝内にハンガーレールＲを嵌め込んで固定し、このレール内に棚受金具Ａや吊下フックＢ等を引っ掛けて使用するもので、姿見等の重量のある鏡枠であってもよいものである。【００２４】  図３の壁側フック１とパネル側フック２は、壁側フック１をパネル側フック２に図４のように嵌合させたときには、壁側フック１の垂直片１−１の背面が間隔ｄだけパネル側フック２の垂直片２−１と水平片２−３、２−３で囲まれる空間部内に入り込むように製作されている。【００２５】  先ず、内装工事中に壁側フック１のみを壁面３の所定個所にネジａ・・・ａにて取り付けておく。【００２６】  次に、パネル４に予め形成しておいた所定の大きさの掘り込み溝４−１にパネル側フック２を嵌め込んでネジｂ・・・ｂにて取り付け、このパネル側フック２が取り付けられたパネル４を壁側フック１に持っていって壁側フック１の傾斜片１−２上にパネル側フック２の傾斜片２−２が乗るようにして差し入れ、手を下ろしてやると、パネル側フック２の傾斜片２−２が壁側フック１の傾斜片１−２上を滑って壁面側に寄りながら下降し、パネル４の裏面は壁面３に面接する。【００２７】  このとき、取り付ける前の壁側フック１とパネル側フック２は、前述したように壁側フック１をパネル側フック２に図４のように嵌合させたときには、壁側フック１の垂直片１−１の背面が間隔ｄだけパネル側フック２の垂直片２−１と水平片２−２、２−２で囲まれる空間部内に入り込むように製作されており、パネル４が壁面３に面接したときには、図４のように両傾斜片１−２、２−２の端部がそれぞれ相手方の垂直片１−１、２−１に当接しないので、パネル４の垂直方向の荷重Ｇによって直角方向の分力Ｇ′つまりパネルを壁面に押し付ける力が発生し、パネル４は分力Ｇ′で壁面３に圧接されることになる。【００２８】  パネル４が壁面３に圧接されると、パネル４と壁面３との間に摩擦力が発生することになり、この摩擦力によってパネル４の荷重の一部が壁面３に吸収されることになって壁側フック１及びパネル側フック２の負担が軽減されることになる。【００２９】  勿論、上記間隔ｄが零の場合でもパネル４は壁面３には面接するが、この場合壁面への圧接力がないので、安定性及び壁側フック１及びパネル側フック２の負担軽減の面から壁面方向への分力Ｇ′が発生するｄ＞０の方が好ましく、また、分力Ｇ′は垂直片１−１、２−１の傾斜角度αが４５度の場合が図示のように最大となるが、作業性の面等か��、傾斜角度αを３５〜５５度の範囲に設定するのが好ましい。【００３０】    図６は、請求項２記載の本発明装置の変形例によってパネルを取り付けた状態の要部縦断側面図であって、パネル４の厚みが薄くて前記掘り込み溝４−１がパネル側に形成できないときに、壁３に掘り込み溝３−１を形成して、その溝内に前述のパネル側フックのような断面形状の壁側フック１を取り付けた場合の実施例を表わすもので、その作用、効果は前述の場合と全く同じである。
【実施例３】
【００３１】  図７は、請求項３記載の本発明装置によってパネルを取り付けた状態の要部縦断側面図であって、実施例１、２のように壁側フック１を直接壁面に取り付けず、壁パネル３′を壁面と平行に張るときに使用される壁パネル張設用のＲの溝Ｒ−１内に傾斜片１−２を形成したものであって、レールＲと傾斜片１−２とで壁側フック１を構成したものである。【００３２】  即ち、図７の実施例では建物の建築中の壁施工時に壁パネルを張設するためのレールを利用するので、壁側フック１が壁パネルに埋設固定された状態となり、このレール即ち壁側フック１の傾斜片１−２に実施例１、２の場合と同じようにパネル側フックを装着するだけできわめて簡単にパネルを壁パネルに取り付けられるものである。
【発明の効果】
【００３３】  以上述べたように、請求項１の発明に係るパネルの取付装置によれば、左右に連続する長さで垂直片及び同垂直片から斜め上方に向かって延びる傾斜片を有する壁側フックと、左右に連続する長さで垂直片及び同垂直片から斜め下方向かって延びる傾斜片を有するパネル側フックとから構成され、前記壁側フック並びにパネル側フックは壁面又はパネルにそれぞれ少なくとも上下２連に取り付けられているので、パネルに埋め込んで取り付けられているパネル側フックの傾斜片を壁側フックの傾斜片に載せるように差し入れて手を離すだけで傾斜片同士の作用でパネルは壁面に対して平行に取り付けられるもので、壁側フック及びパネル側フックを左右に連続する長さとしてあり、また、壁側フック及びパネル側フックを２連又はそれ以上としてあるので、パネルの重量が大きくても充分パネルの荷重に耐えられて安全性が確保され、内装工事終了後でも簡単に安定よく、且つ、体裁よくパネルを壁面に取り付けることができるもので、壁面とパネルの間に空気層ができるので、壁からの熱の出入りを遮断する断熱効果も奏し得るものである。
【００３４】  また、請求項２の発明に係るパネルの取付装置によれば、左右に連続する長さで垂直片及び同垂直片から斜め上方に向かって延びる傾斜片を有する壁側フックと、垂直片及び同垂直片から斜め下方向かって延びる傾斜片を有し、左右に連続する長さを有するパネル側フックとから構成され、前記壁側フック又はパネル側フックの一方のフックの垂直片は壁面又はパネルに形成された掘り込み溝に嵌め込まれて取り付けられているので、パネルは壁面に密接乃至圧接して取り付けられるもので、壁側フック及びパネル側フックを左右に連続する長さとしてあるので、パネルの重量が大きくても充分パネルの荷重に耐えられて安全性が確保され、請求項１の発明に係るパネルの取付装置のように係合部を上下２連又はそれ以上設けなくても内装工事終了後でも簡単に安定よく、且つ、体裁よくパネルを壁面に取り付けることができるものである。
【００３５】  更に、請求項３の発明に係るパネルの取付装置によれば、壁パネル張設用レールの溝内に斜め上方に向かって延びる傾斜片を形成した壁側フックと、左右に連続する長さで垂直片及び同垂直片から斜め下方向かって延びる傾斜片を有するパネル側フックとから構成され、壁側フックの傾斜片は壁パネル表面から突出しないように設けられているので、既存の壁パネル張設用レールを僅かに改良するだけで内装工事終了後でも簡単に安定よく、且つ、体裁よくパネルを壁パネルに取り付けることができるもので、便利である。
【図面の簡単な説明】
【００３６】
【図１】  請求項１記載の本発明装置によってパネルを張設した状態の縦断側面図である。
【図２】  請求項２記載の本発明装置の分解斜視図である。
【図３】  同装置を構成する壁側フックとパネル側フックの側面図である。
【図４】  同装置の取り付け前の壁側フックにパネル側フックを嵌合させた状態の側面図である。
【図５】  同装置によってパネルを壁面に取り付けた状態の要部縦断側面図である。
【図６】  請求項２記載の本発明装置の変形例によってパネルを取り付けた状態の要部縦断側面図である。
【図７】  同請求項３記載の本発明装置の変形例によってパネルを取り付けた状態の要部縦断側面図である。
【符号の説明】
【００３７】  １      壁側フック
２      パネル側フック
３      壁
４      パネル
【図１】
2006307619.tif 000003
【図２】
2006307619.tif 000004
【図３】
2006307619.tif 000005
【図４】
2006307619.tif 000006
【図５】
2006307619.tif 000007
【図６】
2006307619.tif 000008
【図７】
2006307619.tif 000009